(57)【要約】【課題】汚泥水と凝集剤との撹拌を効率良く進める。【解決手段】汚泥水を計量槽５から反応槽２へ送り、該反応槽２で凝集剤と混合しフロック化させて排出するようにした汚泥の凝集処理装置において、反応槽２の底部近傍に下向きの水流を発生する撹拌羽根５４を設け、計量槽５から汚泥水を第２反応槽２における撹拌羽根５４の下側に供給するようにするとともに、凝集剤も撹拌羽根５４の下側に供給する。【選択図】    図５
2004275912.tif 000002
【特許請求の範囲】
【請求項１】
汚泥水と凝集剤とが送り込まれる反応槽と、該反応槽に設けられ汚泥水と凝集剤とを撹拌する撹拌機と、該反応槽に上記汚泥水を所定流量となるように調節して送る計量槽とを備えている汚泥水の凝集処理装置において、
上記計量槽から汚泥水供給管が延設されて上記反応槽の底部近傍に接続されているとともに、上記反応槽の底部近傍に上記凝集剤の供給口が設けられ、
上記反応槽の上部にフロック化した汚泥水の流出部が設けられていることを特徴とする汚泥水の凝集処理装置。
【請求項２】
請求項１において、
上記撹拌機は、上下方向に延びる回転軸の下端に水中撹拌羽根を取り付けたものであり、該撹拌羽根は上記反応槽の底部近傍に位置付けられており、
上記汚泥水供給管の上記反応槽に対する接続口が上記撹拌羽根の下側に配置されていることを特徴とする汚泥水の凝集処理装置。
【請求項３】
請求項２において、
上記撹拌機は、上記撹拌羽根から上方へ向かって水流が発生するように設けられていることを特徴とする汚泥水の凝集処理装置。
【発明の詳細な説明】
【０００１】
【発明の属する技術分野】
本発明は、汚泥水の凝集処理装置に関する。
【０００２】
【従来の技術】
下水、し尿、工場廃液等の排水は、生物学的ないしは化学的に処理されているが、その処理に伴って汚泥濃度の高い汚泥水が発生する。この汚泥水は、凝集剤を用いてフロック化し、次いで脱水処理されている。例えば、特許文献１には、汚泥水槽から汚泥水を計量槽に送り、この汚泥水を計量槽から流量を調整して反応槽（混和槽）に送り、該反応槽にて汚泥水と凝集剤とを撹拌機で撹拌して凝集フロックを形成し、このフロック化した汚泥の脱水処理を行なうことが記載されている。
【０００３】
また、この文献１に記載された反応槽では、その底部近傍に撹拌機の撹拌羽根が配置され、計量槽からの汚泥水を反応槽の高さ方向における中間位置、すなわち、撹拌羽根よりも上方の位置に流入させ、反応槽の上部から流出させるようになっている。また、凝集剤は反応槽にその底部から流入させるようになっている。
【０００４】
【特許文献１】
特許第３３１７９４９号公報
【０００５】
【発明が解決しようとする課題】
しかし、上述の如き汚泥水の凝集処理装置では、汚泥水は計量槽から反応槽の撹拌羽根よりも上方位置に流入するから、撹拌羽根によって生ずる上昇流によりそのまま上方へ移動し、底部から流入する凝集剤と充分に反応せずに（混合されずに）、反応槽上部から流出してしまうおそれがある。
【０００６】
そこで、本発明は、汚泥水が凝集剤と確実に撹拌されるようにして汚泥水のフロック化を促進することを課題とする。
【０００７】
【課題を解決するための手段】
本発明は、このような課題に対して、汚泥水を反応槽の底部近傍に流入させるようにした。
【０００８】
すなわち、請求項１に係る発明は、汚泥水と凝集剤とが送り込まれる反応槽と、該反応槽に設けられ汚泥水と凝集剤とを撹拌する撹拌機と、該反応槽に上記汚泥水を所定流量となるように調節して送る計量槽とを備えている汚泥水の凝集処理装置において、
上記計量槽から汚泥水供給管が延設されて上記反応槽の底部近傍に接続されているとともに、上記反応槽の底部近傍に上記凝集剤の供給口が設けられ、
上記反応槽の上部にフロック化した汚泥水の流出部が設けられていることを特徴とする。
【０００９】
従って、計量槽から送られる汚泥水と凝集剤とは、いずれも反応槽の底部近傍に流入するから、該底部近傍から反応槽上部の流出部に至る間に撹拌機により撹拌されることになり、汚泥フロックの形成に有利になる。
【００１０】
請求項２に係る発明は、請求項１に記載の汚泥の凝集処理装置において、
上記撹拌機は、上下方向に延びる回転軸の下端に水中撹拌羽根を取り付けたものであり、該撹拌羽根は上記反応槽の底部近傍に位置付けられており、
上記汚泥水供給管の上記反応槽に対する接続口が上記撹拌羽根の下側に配置されていることを特徴とする。
【００１１】
従って、反応槽の底部近傍に流入した汚泥水は反応槽上部の流出部に上昇していく途中で撹拌羽根による撹拌力を受けて凝集剤と混合されることになり、汚泥フロックの形成に有利になる。
【００１２】
請求項３に係る発明は、請求項２に記載の汚泥の凝集処理装置において、
上記撹拌機は、上記撹拌羽根から上方へ向かって水流が発生するように設けられていることを特徴とする。
【００１３】
従って、反応槽の底部近傍に流入した汚泥水は、撹拌羽根の下側から上向きの水流にのって上昇していく過程で該撹拌羽根によって強く撹拌されることになり、凝集剤との混合による汚泥フロックの形成にさらに有利になる。
【００１４】
【発明の実施の形態】
以下、本発明の実施の形態を図面に基づいて説明する。
【００１５】
図１に示す汚泥処理システムにおいて、１は汚泥水に対して第１凝集剤による凝集処理を行なう第１反応槽、２は汚泥水に対して第２凝集剤による凝集処理を行なう第２反応槽、３は処理すべき汚泥水が貯留される汚泥水貯留槽、４は凝集処理された汚泥水の脱水処理を行なう脱水機である。第１反応槽１と第２反応槽２と間には第１反応槽１から第２反応槽２に移送する凝集処理された汚泥水の量を調節するための計量槽５が設けられている。なお、第１凝集剤としては例えばポリ硫酸第二鉄（ポリ鉄）が用いられ、第２凝集剤としては例えば両性高分子凝集剤が用いられる。
【００１６】
汚泥水貯留槽３の汚泥水はポンプ１１により供給管１２介して第１反応槽１に供給される。この供給管１２には止め弁１３が設けられている。第１反応槽１から汚泥水貯留槽３へドレン管１４が延び、該ドレン管１４には止め弁１５が設けられている。第１凝集剤は、貯留槽１６からポンプ１７により注入管１８を介して第１反応槽１に注入される。
【００１７】
第１反応槽１には、汚泥水貯留槽３から送られる汚泥水と貯留槽１６から送られる第１凝集剤とを撹拌する機能と、該第１反応槽１から計量槽５へ汚泥水を移送する機能とを兼ね備えた撹拌・移送兼用ポンプ１９が設けられている。このポンプ１９から計量槽５に向かって止め弁２１を備えた移送管２２が延び、計量槽５からは第１反応槽１に向かって戻し管２３が延びている。
【００１８】
計量槽５は、第２反応槽２へ送られる汚泥水の流量を計るための堰（例えばＶ堰）２４と、この堰２４を越える汚泥水量を調節すべく計量槽５の水位を調節する水位調節手段２５とを備えたものである。
【００１９】
第２反応槽２には、第１反応槽１で凝集処理された汚泥水が計量槽５を介して送られるとともに、第２凝集剤が凝集剤溶解槽２６からポンプ２７により注入管２８を介して注入される。この第２反応槽２には、第１反応槽１からの汚泥水と第２凝集剤とを撹拌するための撹拌機２９が設けられている。また、第２反応槽２から第１反応槽１へドレン管３０が延びている。第２凝集剤の原液は、撹拌機３１を備えた貯留槽３２に貯留されていて、該貯留槽３２から溶解槽２６にポンプ３３で送られる。溶解槽２６には上水源より上水管３４によって供給される上水と第２凝集剤原液とを混合するための撹拌機３５が設けられている。
【００２０】
第２反応槽２でフロック化された汚泥水は導管４２によって脱水機（本例の脱水機は多重板型スクリュウプレス脱水機）４に送られる。脱水機４の洗滌機３７には上水源より延びる上水管３８が接続されている。脱水機４からは分離水の排出管３９が延設されている。
【００２１】
図２〜図４は上記汚泥処理システムの具体的な構造を示す。すなわち、図２に示すように、第２反応槽２及び脱水機４は第１反応槽１の上に設置され、計量槽５は第２反応槽２の側壁に固定されている。計量槽５の底は第２反応槽２の底よりも高位置になっている。
【００２２】
図３に示すように、脱水機４は２本並べて設けられ、各々はモータ４１によって駆動されるようになっている。そうして、この両脱水機４各々に対して第２反応槽２から凝集処理された汚泥水を導く導管４２が延びている。両脱水機４の上には洗浄機３７が設けられている。第２反応槽２の上には支持板４３が渡され、該支持板４３に撹拌機駆動モータ４４が支持されている。また、第２凝集剤注入管２８は第２反応槽２の上からその内部に挿入されている。
【００２３】
計量槽５は、図３及び図４に示すように、堰２４によって２つの室４７，４８に仕切られており、この堰２４の上端に図５に示すようにＶ形切欠き４９が形成されている。一方の室４７に第１反応槽１から延びる移送管２２と戻し管２３とが接続されている。移送管２２の上方には覆い板５１が設けられている。戻し管２３は一方の室４７の底壁を貫通して上方へ突出しており、該戻し管２３にその上端の開口高さを調節する水位調節手段（図示省略）が設けられている。
【００２４】
図４及び図５に示すように、上記堰２４で仕切られた他方の室４８の底からＬ字状の汚泥水供給管５２が下方へ延び、該供給管５２は第２反応槽２の側壁下端部に接続されて該第２反応槽の底部近傍に開口している。第２反応槽２の撹拌機２９は、上下方向に延びる回転軸５３の下端に水中撹拌羽根５４を取り付けたものである。この撹拌羽根５４は第２反応槽２の底部近傍に位置付けられ、該撹拌羽根５４から上方へ向かって水流が発生するように回転駆動されるようになっている。
【００２５】
そうして、上記汚泥水供給管５２の第２反応槽２に対する接続口は上記撹拌羽根５４の下側に配置されている。また、第２凝集剤注入管２８の下端開口２８ａは、撹拌羽根５４の下側の第２反応槽２の底部近傍であって、汚泥水供給管５２の第２反応槽２に対する接続口付近に開口している。また、第２反応槽２からフロック化された汚泥水を脱水機４へ送る導管４２は第２反応槽２の計量槽５とは反対側の側壁上部に開口している。
【００２６】
従って、上記実施形態の場合、第１反応槽１において汚泥水貯留槽３から供給された汚泥水と、貯留槽１６から供給された第１凝集剤とが撹拌されることにより、当該汚泥水の凝集処理が行なわれる。この凝集処理された汚泥水は撹拌・移送兼用ポンプ１９によって移送管２２を介して計量槽５の一方の室４７へ移送される。計量槽５では一方の室４７の水位が水位調節手段によって調節されることにより、Ｖ堰２４を越えて他方の室４８に流入する汚泥水の流量が所定値になるようにされる。
【００２７】
計量槽５の他方の室４８に供給された汚泥水は、汚泥水供給管５２によって第２反応槽２の底部近傍に送られ、同じく該第２反応槽２の底部近傍に供給される第２凝集剤と混合される。この場合、汚泥水と第２凝集剤とは、撹拌羽根５４の下側から該撹拌羽根５４が発生する上方に向かう水流によって撹拌されながら上昇し、導管４２よりオーバーフローして脱水機４に供給される。
【００２８】
従って、第１反応槽１からの汚泥水と第２凝集剤との撹拌が効率良く行なわれることになり、第２反応槽２での汚泥のフロック化が促進される。よって、脱水機４による汚泥フロックの脱水性が良好になる。
【００２９】
【発明の効果】
以上のように、請求項１に係る発明によれば、計量槽から延設した汚泥水供給管が反応槽の底部近傍に接続されているとともに、該反応槽の底部近傍に凝集剤の供給口が設けられ、反応槽の上部にフロック化した汚泥水の流出部が設けられているから、汚泥水と凝集剤とは反応槽の底部近傍から反応槽上部の流出部に至る間に撹拌機により撹拌されることになり、汚泥フロックの形成に有利になる。
【００３０】
請求項２に係る発明によれば、上下方向に延びる回転軸の下端に水中撹拌羽根を取り付けて該撹拌羽根を反応槽の底部近傍に位置付け、汚泥水供給管の上記反応槽に対する接続口を上記撹拌羽根の下側に配置したから、汚泥水は反応槽の底部近傍から反応槽上部の流出部に上昇していく途中で撹拌羽根により撹拌されて凝集剤と混合されることになり、汚泥フロックの形成に有利になる。
【００３１】
請求項３に係る発明によれば、上記撹拌羽根から上方へ向かって水流が発生するようにされているから、該撹拌羽根による汚泥水と凝集剤との撹拌が効率良く進み、汚泥フロックの形成にさらに有利になる。
【図面の簡単な説明】
【図１】本発明の実施形態に係る汚泥処理システムの全体構成図。
【図２】同システムを構成する装置の正面図。
【図３】同装置の平面図。
【図４】同装置の側面図。
【図５】同装置の計量槽と第２反応槽とを示す断面図。
【符号の説明】
１  第１反応槽
２  第２反応槽
３  汚泥水貯留槽
４  脱水機
５  計量槽
２９  撹拌機
４２  導管（流出部）
２８  第２凝集剤供給管
５２  汚泥水供給管
５３  回転軸
５４  撹拌羽根
【図１】
2004275912.tif 000003
【図２】
2004275912.tif 000004
【図３】
2004275912.tif 000005
【図４】
2004275912.tif 000006
【図５】
2004275912.tif 000007